(57)【要約】【課題】手押し車用カバーに収納された手押し車の移動に際して、手押し車用カバー外すことなく手押し車を折畳んだ状態のまま容易に手押し車を移動させることを可能とする、手押し車用カバーを提供する。【解決手段】車輪カバーを本体カバー１１０に対して開状態とすることで、手押し車の一例である乳母車の車輪部２２０が接地可能な露出状態が選択される。これにより、手押し車用カバー１００の全て外すことなく乳母車を折畳んだ状態のまま、乳母車の車輪部２２０を利用して乳母車を転がしながら容易に乳母車を移動させることが可能となる。【選択図】図３
2010253996.tif 000002
【特許請求の範囲】
【請求項１】
本体部、車輪部およびハンドル部を有する手押し車を折畳んだ状態で、その内部に収容する手押し車用カバーであって、
前記手押し車の本体部およびハンドル部を収容する本体カバーと、
前記手押し車の車輪部を収容し、前記本体カバーに対して開閉可能に設けられる車輪カバーと、を備え、
前記車輪カバーを前記本体カバーに対して開状態とすることで、前記手押し車の前記車輪部が接地可能な露出状態が選択され、
前記車輪カバーを前記本体カバーに対して閉状態とすることで、前記手押し車の前記車輪部のすべてが覆われる状態が選択される、手押し車用カバー。
【請求項２】
当該手押し車用カバーは、前記車輪カバーを収納するための収納領域が設けられる、請求項１に記載の手押し車用カバー。
【請求項３】
前記本体カバーには、前記手押し車の下端部に係合する係合領域が設けられる、請求項１または２のいずれかに記載の手押し車用カバー。
【発明の詳細な説明】
【技術分野】
【０００１】
この発明は、手押し車を折畳んだ状態で、手押し車をその内部に収容する手押し車用カバーに関する。
【背景技術】
【０００２】
乳幼児に用いられる乳母車（市場では、ベビーカーと呼ばれることが多い）や、高齢者が用いる高齢者用手押し車（市場では、シルバーカーと呼ばれることが多い）は、いずれも、本体部、車輪部およびハンドル部を有する点で基本的構成が類似している（以下、これらを総称して、「手押し車」と称する）。また、これらの手押し車の持ち運び時の容易性の観点から、使用状態における手押し車を折畳んで全体の占める容積を小さくする構成が採用されている。
【０００３】
このような、折畳み可能な手押し車は、玄関先に置かれる場合や車両のトランクに載置される場合には、折畳まれた状態で用いられることが多い。また、手押し車への埃の付着や、トランク内への汚れの付着等を防止するために、手押し車を手押し車用カバーに収納する。このような、手押し車用カバーを開示するものとして、下記特許文献１および特許文献２が挙げられる。
【０００４】
特許文献１に開示される手押し車用カバーは、乳母車用運搬袋に関するもので、ハンドルのみを露出させ、その他の乳母車はすべて収納される乳母車用運搬袋が開示されている。また。特許文献２に開示される手押し車用カバーは、ベビーカー用収納袋に関するもので、ベビーカーに設けられたショルダベルト（ストラップ）を露出させるための開口部が設けられ、ベビーカーはすべて収納されるベビーカー用収納袋が開示されている。
【０００５】
上記特許文献１および２に示される手押し車用カバーにおいては、いずれも、手押し車への埃の付着や、トランク内での汚れの付着等を防止することは可能である。しかし、手押し車を折畳んだ状態のまま移動させたい場合、たとえば、玄関から駐車場に停めた車両に移動させる場合には、車輪部を含む手押し車が手押し車用カバー内に収納されているために、手押し車を担ぐ必要がある。
【０００６】
また、手押し車の車輪部を利用して、手押し車を移動させる場合には、手押し車用カバーを手押し車から外す必要がある。この場合に、駐車場に停めた車両のトランクに手押し車を載置する場合には、トランク内での汚れの付着等を防止するために、再び手押し車を手押し車用カバーに収納する必要がある。このような作業は手押し車の使用者にとって非常に煩わしいものである。
【先行技術文献】
【特許文献】
【０００７】
【特許文献１】特開昭５１−１１２０４６号公報
【特許文献２】意匠登録第１１９５０２６号公報
【発明の概要】
【発明が解決しようとする課題】
【０００８】
この発明の目的は、上記課題を解決するためになされたものであり、手押し車用カバーに収納された手押し車の移動に際して、手押し車用カバー外すことなく手押し車を折畳んだ状態のまま容易に手押し車を移動させることを可能とする、手押し車用カバーを提供することにある。
【課題を解決するための手段】
【０００９】
この発明に基づいた手押し車用カバーにおいては、本体部、車輪部およびハンドル部を有する手押し車を折畳んだ状態で、その内部に収容する手押し車用カバーであって、以下の構成を備えている。
【００１０】
上記手押し車の本体部およびハンドル部を収容する本体カバーと、上記手押し車の車輪部を収容し、上記本体カバーに対して開閉可能に設けられる車輪カバーとを備え、上記車輪カバーを上記本体カバーに対して開状態とすることで、上記手押し車の上記車輪部が接地可能な露出状態が選択され、上記車輪カバーを上記本体カバーに対して閉状態とすることで、上記手押し車の上記車輪部のすべてが覆われる状態が選択される。
【００１１】
上記発明の他の形態においては、上記車輪カバーは上記本体カバーに対して一部が一体的に設けられ、その他の部分が上記本体カバーに対して開閉可能に設けられる。また、上記車輪カバーのその他の部分は上記本体カバーに対してスライド式ファスナを用いて開閉可能に連結される。
【００１２】
上記発明の他の形態においては、上記車輪カバーは上記本体カバーに対して別部材により設けられ、上記車輪カバーは上記本体カバーに対して着脱可能に設けられる。
【００１３】
上記発明のいずれかの形態においては、当該手押し車用カバーは、上記車輪カバーを収納するための収納領域が設けられる。
【００１４】
上記発明のいずれかの形態においては、上記本体カバーには、上記手押し車の下端部に係合する係合領域が設けられる。
【００１５】
上記発明のいずれかの形態においては、上記本体カバーには、上記手押し車の上記ハンドル部の先端部を外部に露出するためのハンドル露出用穴が設けられる。
【００１６】
上記発明のいずれかの形態においては、上記本体カバーには、ショルダベルトが取り付けられる。
【発明の効果】
【００１７】
この発明に基づいた手押し車用カバーによれば、車輪カバーを本体カバーに対して開状態とすることで、手押し車の車輪部が接地可能な露出状態が選択される。これにより、手押し車用カバー外すことなく手押し車を折畳んだ状態のまま、手押し車の車輪部を利用して手押し車を転がしながら容易に手押し車を移動させることが可能となる。
【００１８】
また、手押し車の移動後には、車輪カバーを本体カバーに対して閉状態とすることで、手押し車の車輪部のすべてが覆われる状態が選択される。これにより、手押し車が載置される周辺部分への汚れの付着を防止することが可能となるとともに、手押し車への汚れの付着も防止することが可能となる。
【図面の簡単な説明】
【００１９】
【図１】実施の形態における、乳母車を収容した状態の手押し車用カバーの外観構成（車輪部閉状態）を示す一の方向から見た斜視図である。
【図２】実施の形態における、乳母車を収容した状態の手押し車用カバーの外観構成（車輪部閉状態）を示す反対側から見た斜視図である。
【図３】実施の形態における、乳母車を収容した状態の手押し車用カバーの外観構成（車輪部開状態）を示す正面側からの斜視図である。
【図４】実施の形態における、手押し車用カバーを取り外した、折畳まれた状態の乳母車の斜視図である。
【図５】実施の形態における、手押し車用カバーの外観構成（車輪部閉状態）を示す斜視図である。
【図６】図５中のＶＩ−ＶＩ線矢視断面図である。
【図７】実施の形態における、手押し車用カバーの外観構成（車輪部開状態）を示す斜視図である。
【図８】実施の形態における手押し車用カバーの車輪カバーを折畳む状態を示す第１の斜視図である。
【図９】実施の形態における手押し車用カバーの車輪カバーを折畳む状態を示す第２の斜視図である。
【図１０】実施の形態における車輪カバーを収納領域に収納した状態を示す第１の斜視図である。
【図１１】実施の形態における車輪カバーを収納領域に収納した状態を示す第２の斜視図である。
【図１２】実施の形態における車輪カバーが収納された収納領域を折り返した状態を示す斜視図である。
【図１３】実施の形態における本体カバーの係合領域に、乳母車の下端部が係合した状態を示す模式図である。
【図１４】他の実施の形態における手押し車用カバーにおいて、本体カバーと車輪カバーとが別部材であることを示す斜視図である。
【発明を実施するための形態】
【００２０】
本発明に基づいた実施の形態における手押し車用カバーについて、以下、図を参照しながら説明する。なお、以下に説明する実施の形態において、個数、量などに言及する場合、特に記載がある場合を除き、本発明の範囲は必ずしもその個数、量などに限定されない。また、同一の部品、相当部品に対しては、同一の参照番号を付し、重複する説明は繰り返さない場合がある。なお、以下の実施の形態においては、手押し車の一例として、乳母車を用いた場合について説明する。
【００２１】
（手押し車用カバー１００の使用状態）
まず、図１から図４を参照して、実施の形態における手押し車用カバー１００の使用状態について説明する。図１は、乳母車を収容した状態の手押し車用カバー１００の外観構成を示す斜視図である。手押し車用カバー１００は、折畳まれた乳母車２００（図４参照）の本体部２１０およびハンドル部２３０を収容する本体カバー１１０と、乳母車２００の車輪部２２０を収容し、本体カバー１１０に対して開閉可能に設けられる車輪カバー１２０とを備えている。
【００２２】
本体カバー１１０の上端部には、乳母車２００のハンドル部２３０の先端部を外部に露出するためのハンドル露出用穴１１１が２箇所設けられている。なお、説明の便宜上、乳母車用カバー１００の長手方向において、ハンドル露出用穴１１１が設けられる側を上端側、車輪カバー１２０が設けられる側を下端側と称する。
【００２３】
図２は、図１とは反対側から見た手押し車用カバー１００の外観形態を示す図である。本体カバー１１０の縦方向に沿ってショルダベルト１４０が設けられている。このショルダベルト１４０には、長さ調節機構が設けられている。図１および図２に示す状態においては、本体カバー１１０と車輪カバー１２０との間に設けられたスライド式ファスナ１３０が閉じられており、車輪カバー１２０を本体カバー１１０に対して閉状態としている。この閉状態では、乳母車２００の車輪部２２０のすべてが覆われる状態が選択される。この閉状態においては、ショルダベルト１４０を用いて、手押し車用カバー１００の内部に乳母車２００を収容した状態のまま担いで運搬することができる。
【００２４】
図３に示す状態は、本体カバー１１０と車輪カバー１２０との間に設けられたスライド式ファスナ１３０を開き、車輪カバー１２０を本体カバー１１０に対して開状態としている。この開状態では、乳母車２００の車輪部２２０が接地可能な露出状態が選択される。この状態においては、手押し車用カバー１００の全体を乳母車２００から外すことなく乳母車２００を折畳んだ状態のまま、乳母車２００の車輪部２２０を利用して乳母車２００を転がしながら容易に乳母車２００を移動させることができる。
【００２５】
また、ハンドル部２３０の先端部がハンドル露出用穴１１１から外部に露出していることから、このハンドル部２３０を握って、乳母車２００を移動させることができる。なお、後述するが、本実施の形態において、車輪カバー１２０を本体カバー１１０に対して開状態とした場合には、車輪カバー１２０は手押し車用カバー１００に設けられた収容領域Ｆに収容されている。
【００２６】
図４は、手押し車用カバー１００に収納されていない、折畳まれた状態の乳母車２００の概略全体構成を示す斜視図である。折畳まれた状態の乳母車２００は自立可能に設けられている。本体部２１０は、折畳み可能の設けられるフレーム部材を有し、このフレーム部材は、座部および背もたれ部等を構成するクッション部材が取り付けられている。また、本体部２１０の下端部には車輪部２２０が設けられ、上端部にはハンドル２３０が設けられている。
【００２７】
（手押し車用カバー１００の詳細構造）
図５から図７を参照して、手押し車用カバー１００の詳細構造について説明する。上記したように、手押し車用カバー１００は、本体カバー１１０と車輪カバー１２０とを備えている。車輪カバー１２０は、本体カバー１１０に対して開閉可能とするために、本体カバー１１０に対して一部が一体的に設けられ、その他の部分が本体カバー１１０に対して開閉可能とするために、スライド式ファスナ１３０により開閉可能に連結されている。本体カバー１１０の上端部には、上記したように、乳母車２００のハンドル部２３０の先端部を外部に露出するためのハンドル露出用穴１１１が２箇所設けられている。
【００２８】
図５に示す状態は、スライド式ファスナ１３０により車輪カバー１２０が本体カバー１１０に対して閉状態とされた場合を示し、図７に示す状態は、スライド式ファスナ１３０により車輪カバー１２０が本体カバー１１０に対して開状態とされた場合を示している。本体カバー１１０および車輪カバー１２０は、内部に折畳まれた乳母車２００を収容するために、図６に示すような横断面が矩形形状の収容空間Ａを規定する形態を有している。手押し車用カバー１００の材質は、乳母車２００を収容することを目的としていることから、軽量な布状材料が用いられる。また、表面には泥等の汚れの付着を防止するために、撥水加工等が施されていることが好ましい。
【００２９】
スライド式ファスナ１３０は、本体カバー１１０に対して車輪カバー１２０を大きく開放可能とするために、４側面の内３側面に設けられ、残りの１側面において車輪カバー１２０が本体カバー１１０に対して一体となるように設けられている。また、車輪カバー１２０の折畳みを容易にするために、両側面においては、手押し車用カバー１００の長手方向に対して傾斜するように、スライド式ファスナ１３０が配設されている。なお、スライド式ファスナ１３０が設けられる位置、長さ等は、収容される乳母車２００の形態に応じて適宜変更することが可能である。
【００３０】
なお、本体カバー１１０に対する車輪カバー１２０の連結手段にスライド式ファスナ１３０を用いた場合について説明しているが、他の連結手段として、ボタン、フック、面ファスナ、その他の公知の連結手段を用いることも可能である。
【００３１】
（車輪カバー１２０の収納領域Ｆへの収納）
次に、図７から図１２を参照して、車輪カバー１２０の収納領域Ｆへの収納について説明する。本実施の形態における車輪カバー１２０は、本体カバー１１０と一体的に設けられ、手押し車用カバー１００の底面を構成するベース部１２１と、ベース部１２１の縁部から起立するように設けられる一対の側壁部１２２および正面壁１２３とを有している。
【００３２】
また、ベース部１２１の内側には、袋状の収納領域Ｆを形成するために表カバー１２４が設けられている。この表カバー１２４は、先端側が開放するようにベース部１２１の取り付けられるとともに、開放側の縁には、収納領域Ｆに車輪カバー１２０を収納した場合の収まりをよくする（収納部材の落下を防止する）ためにゴム状部材が取り付けられている。なお、説明便宜上、乳母車２００を収納する側を内側と称する。
【００３３】
まず、図７に示すように、スライド式ファスナ１３０を全開状態（図中矢印Ｐ方向）にして、車輪カバー１２０を開状態に起こす。次に、車輪カバー１２０の側壁部１２２および正面壁１２３をベース部１２１の外側に折り返す（図中矢印Ｒ方向）。図８に、側壁部１２２および正面壁１２３をベース部１２１の外側において折畳んだ状態を示す。さらに、図９に示すように、側壁部１２２および正面壁１２３をベース部１２１の外側において小さく折畳む（Ｒ１方向に側壁部１２２および正面壁１２３を小さく折畳む）。このとき、収納領域Ｆはベース部１２１の内側に位置している。
【００３４】
次に、図１０に示すように、ベース部１２１の内側に位置する収納領域Ｆの表カバー１２４を外側に位置するように大きく裏返す。このとき、小さく折畳まれた側壁部１２２および正面壁１２３は、ベース部１２１と表カバー１２４により規定される、裏返された収納領域Ｆの内部に収納された状態となる。
【００３５】
その後、図１１に示すように、裏返された収納領域Ｆの内部に収納された車輪カバー１２０を内側に折畳み、予め内側の所定位置に設けられた面ファスナ１５０，１５０用いて固定する。このようにして、車輪カバー１２０を本体カバー１１０に対して開状態とした場合には、車輪カバー１２０は手押し車用カバー１００に設けられた収容領域Ｆに収容されることを可能としている。
【００３６】
なお、外観の美感を損なわないようにするために、折畳まれた車輪カバー１２０を手押し車用カバー１００の内側に位置するように固定しているが、図１０に示す状態のままで収納を完了させておくことも可能である。
【００３７】
（作用・効果）
以上、本実施の形態における手押し車用カバー１００においては、車輪カバー１２０を本体カバー１１０に対して開状態とすることで、乳母車２００の車輪部２２０が接地可能な露出状態が選択される。これにより、手押し車用カバー１００の全て外すことなく乳母車２００を折畳んだ状態のまま、乳母車２００の車輪部２２０を利用して乳母車２００を転がしながら容易に乳母車２００を移動させることが可能となる。
【００３８】
また、乳母車２００の移動後には、車輪カバー１２０を本体カバー１１０に対して閉状態とすることで、乳母車２００の車輪部２２０のすべてが覆われる状態が選択される。これにより、乳母車２００が載置される周辺部分への汚れの付着を防止することが可能となるとともに、乳母車２００への汚れの付着も防止することが可能となる。
【００３９】
なお、図１３に示すように、本体カバー１１０の下端部に、乳母車２００の下端部２１０ａに係合する係合領域、例えばフレーム部材の先端部２１０ａを収納する収納領域１１０ａを設けておくことで、車輪部２２０が露出した状態においても、ショルダベルト１４０を用いて、手押し車用カバー１００の内部に乳母車２００を収容した状態のまま担いで運搬することが可能となる。なお、係合領域として収納領域１１０ａ以外に、ベルト部材、相互に係合し合う部材等の採用が可能である。
【００４０】
また、上記実施の形態においては、車輪カバー１２０が本体カバー１１０に一体的に設けられる場合について説明しているが、図１４に示すように、車輪カバー１２０を本体カバー１１０に対して別体に設け、完全に取り外し可能な構成でも構わない。また、車輪カバー１２０を収納するための収納領域Ｆを設ける場合について説明したが、収納領域Ｆを設けない構成の採用も可能である。
【００４１】
また、本体カバー１１０の先端部にハンドル露出用穴１１１を設ける場合について説明しているが、ハンドル露出用穴１１１を設けない構成の採用も可能である。別の構成として、本体カバー１１０の先端部に予め把持部を設けておくことも可能である。
【００４２】
また、上記実施の形態においては、乳母車２００を収容する手押し車用カバー１００について説明しているが、乳母車２００に限定されることなく、高齢者用手押し車、その他の折畳み可能な構成を備える手押し車に対して広く本発明に基づく手押し車用カバーを適用することが可能である。
【００４３】
以上、本発明の実施の形態について説明したが、今回開示された実施の形態は全ての点で例示であって制限的なものではないと考えられるべきである。本発明の範囲は特許請求の範囲によって示され、特許請求の範囲と均等の意味および範囲内での全ての変更が含まれることが意図される。
【符号の説明】
【００４４】
１００  手押し車用カバー、１１０  本体カバー、１１１  ハンドル露出用穴、１２０  車輪カバー、１２１  ベース部、１２２  側壁部、１２３  正面壁、１２４  表カバー、１４０  ショルダベルト、１５０  面ファスナ、２００  乳母車、２１０  本体部、２２０  車輪部、２３０  ハンドル部、Ｆ  収納領域。
【図１】
2010253996.tif 000003
【図２】
2010253996.tif 000004
【図３】
2010253996.tif 000005
【図４】
2010253996.tif 000006
【図５】
2010253996.tif 000007
【図６】
2010253996.tif 000008
【図７】
2010253996.tif 000009
【図８】
2010253996.tif 000010
【図９】
2010253996.tif 000011
【図１０】
2010253996.tif 000012
【図１１】
2010253996.tif 000013
【図１２】
2010253996.tif 000014
【図１３】
2010253996.tif 000015
【図１４】
2010253996.tif 000016